(57)【特許請求の範囲】
【請求項１】
複数の噴射孔を一列に配列し、回動可能なノズル部を備えた本体部と、該本体部に交換可能に装着する清掃用ヘッド部とから成り、液体を被清掃面に対して前記複数の噴射孔から直線状に噴射する噴射式清掃具であって、
前記ノズル部は前記本体部の先端部の最先端に斜め下方方向に向けて配置されており、
前記清掃用ヘッド部は前記先端部の下面に固定されており、
横方向に長い清掃部を備えた前記清掃用ヘッド部を前記本体部に装着した場合には、前記噴射孔の配列が水平方向に向くように、縦方向に長い清掃部を備えた前記清掃用ヘッド部を前記本体部に装着した場合には、前記噴射孔の配列が上下方向に向くようにして、前記噴射孔の噴射方向を選択可能としたことを特徴とする噴射式清掃具。
【請求項２】
前記複数の噴射孔は中心に主噴射孔を配置し、該主噴射孔を複数の副噴射孔により挟むようにして配列し、前記主噴射孔は正面に対して垂直方向に穿設し、両側の前記副噴射孔は前記主噴射孔の穿設方向に対し外側に斜め方向に穿設し、前記ノズル部を回動することにより前記主噴射孔、副噴射孔による噴射方向を選択するようにしたことを特徴とする請求項１に記載の噴射式清掃具。
【請求項３】
前記本体部は、把持部と、該把持部から延在し指掛部を備える操作部とを備え、前記指掛部を指で引くことにより液充填部からの液体が前記ノズル部から噴射することを特徴とする請求項１又は２に記載の噴射式清掃具。
【発明の詳細な説明】
【技術分野】
【０００１】
本発明は、洗浄液の噴射機能を備えた噴射式清掃具に関するものである。
【背景技術】
【０００２】
特許文献１には、中空の柄部とその先端に設けられた洗浄部とから成る洗浄用ヘッド部を握り部に対し交換可能とした掃除具が開示され、握り部にはプッシュボタンが備えられている。
【０００３】
このプッシュボタンの押圧操作によって、定まった分量だけの洗浄液が、洗浄液流出路に押し出されて、柄部を介して洗浄部の近傍に供給される。洗浄用ヘッド部は掃除をしようとする個所や掃除の方法等に応じて、適切な形状のものに交換して使用する。
【先行技術文献】
【特許文献】
【０００４】
【特許文献１】登録実用新案第３０５３０８２号公報
【発明の概要】
【発明が解決しようとする課題】
【０００５】
この特許文献１においては、プッシュボタンの押圧操作によって中空の柄部内に供給された洗浄液は、柄部の内壁を垂下し先端の洗浄部内に達する。この洗浄部は特許文献１の図２３に示すような略円形の小型のブラシ状であれば、洗浄液は洗浄部に対して均等に広がる。
【０００６】
しかし、特許文献１の図２１に示すようなＴ字状の横広の洗浄部の場合では、洗浄液は洗浄部の中心近傍には供給されるが、洗浄部の両端部まで十分に広がらない。このような状態では、洗浄用ヘッド部を左右に移動させない限り、両端部まで洗浄液が十分に行き渡らないという問題がある。
【０００７】
また、特許文献１の被清掃面へ洗浄液の供給は、目視で確認することが難しいという問題もある。
【０００８】
本発明の目的は、上述の課題を解消し、ノズル部の回動により液体の噴射方向を選択可能とした噴射式清掃具を提供することにある。
【課題を解決するための手段】
【０００９】
上記目的を達成するための本発明に係る噴射式清掃具は、複数の噴射孔を一列に配列し、回動可能なノズル部を備えた本体部と、該本体部に交換可能に装着する清掃用ヘッド部とから成り、液体を被清掃面に対して前記複数の噴射孔から直線状に噴射する噴射式清掃具であって、前記ノズル部は前記本体部の先端部の最先端に斜め下方方向に向けて配置されており、前記清掃用ヘッド部は前記先端部の下面に固定されており、横方向に長い清掃部を備えた前記清掃用ヘッド部を前記本体部に装着した場合には、前記噴射孔の配列が水平方向に向くように、縦方向に長い清掃部を備えた前記清掃用ヘッド部を前記本体部に装着した場合には、前記噴射孔の配列が上下方向に向くようにして、前記噴射孔の噴射方向を選択可能としたことを特徴とする。
【発明の効果】
【００１０】
本発明の噴射式清掃具によれば、１列に配置された複数の噴射孔の配列方向を選択することにより、液体がノズル部から横広又は縦広に広がった状態で被清掃面に噴射されるため、被清掃部の清掃個所に応じて洗浄液を行き渡らせることができる。
【００１１】
また、洗浄ヘッド部の形状に応じて、ノズル部による噴射範囲を横広と縦広に容易に切換えることが可能である。
【図面の簡単な説明】
【００１２】
【図１】横広のヘッドを装着する場合の噴射式清掃具の分解斜視図である。
【図２】横広のヘッドを装着した状態の斜視図である。
【図３】縦広のヘッドを装着する場合の分解斜視図である。
【図４】縦広のヘッドを装着した状態の斜視図である。
【図５】ノズル部の正面図、側面図及び断面図である。
【図６】横広のヘッドを装着した状態の本体部の内部構成図である。
【図７】噴射時の断面図である。
【図８】縦広のヘッドを装着した状態の噴射時の断面図である。
【発明を実施するための形態】
【００１３】
本発明を図示の実施例に基づいて詳細に説明する。
図１は実施例の横広のヘッドを装着する場合の噴射式清掃具の分解斜視図、図２は横広のヘッドを装着した状態の斜視図である。また、図３は実施例の縦広のヘッドを装着する場合の噴射式清掃具の分解斜視図であり、図４は縦広のヘッドを装着した状態の斜視図である。
【００１４】
噴射式清掃具１０は、本体部２０と、この本体部２０に装着し交換可能な清掃用ヘッド部３０とから構成されており、図１、図３に示すように、矢印方向に清掃用ヘッド部３０を摺動させて、本体部２０に清掃用ヘッド部３０を固定する。
【００１５】
本体部２０は、後方の把持部２１と、この把持部２１から屈曲して斜め下方前方に延在する操作部２２と、この操作部２２から把持部２１と平行になるように屈曲して前方に延在する先端部２３と、先端部２３の一部に設けたノズル部２４とから成っている。
【００１６】
把持部２１の後端には、環状の引掛用孔部２１ａが形成され、操作部２２の下方には、把持部２１を片手で把持した際に人差指を引っ掛ける引き金状の指掛部２２ａが設けられている。
【００１７】
先端部２３には、その上方に配置し、洗浄液Ｗが入ったペットボトル状の容器Ｂの口部Ｂ１が螺合する容器取付部２３ａと、下面に清掃用ヘッド部３０を摺動して固定するヘッド取付部２３ｂとが配置され、最先端に斜め下方方向に向けてノズル部２４が配置されている。
【００１８】
容器取付部２３ａは斜め方向に延在する円筒状とされ、容器取付部２３ａには円環状ナットの締付部２３ｃが回転自在に取り付けられており、締付部２３ｃの内側には容器Ｂの口部Ｂ１が螺合するねじ溝部が刻設されている。
【００１９】
清掃用ヘッド部３０には、図１、図２に示す横幅方向に長い清掃部を備えたヘッド３１や、図３、図４に示す縦方向に長い清掃部を備えたヘッド３２等が使用可能であり、被清掃面の状態に応じて適宜な形状の清掃用ヘッド部３０を選択して使用することができる。ヘッド３１、３２には、取付部３１ａ、３２ａと清掃部３１ｂ、３２ｂとが設けられており、取付部３１ａ、３２ａの後端部には、先端部２３に対して係止するための係止保持片３１ｃ、３２ｃが設けられている。係止保持片３１ｃ、３２ｃの根元部には段差３１ｄ、３２ｄが形成され、先端部２３に設けた爪部２３ｄに係止するようになっている。
【００２０】
凹溝状の取付部３１ａ、３２ａは、先端部２３のヘッド取付部２３ｂを挟み込みながら後方に摺動し、係止保持片３１ｃ、３２ｃを爪部に係合して係止する。ヘッド３１、３２を本体部２０から外すには、係止保持片３１ｃ、３２ｃを指で押下し、爪部との係合を外すことで係止状態を解除し、ヘッド３１、３２を先端部２３から引き抜く。
【００２１】
図１、図２に示す横方向に長い清掃部３１ｂを有するヘッド３１は、例えばガラス窓を掃除するためのものであり、へら状の清掃部３１ｂはゴム体等の可撓性部材から成っている。ガラス窓表面に清掃部３１ｂを当接させ、ノズル部２４から洗浄液を噴射しながらガラス窓表面に付着した汚れ等を拭き取る。また、横幅方向に長い清掃部３１ｂとしては、へら体以外にも床拭き等に使用する横広平面状のモップ体や合成樹脂を植立したブラシ体を用いてもよい。
【００２２】
図３、図４に示す縦方向に長く下方を向く清掃部３２ｂを有するヘッド３２は、例えば窓のサッシ、車体の清掃、風呂場等の隙間が多い場所を掃除することに適しており、清掃部３２ｂは例えばブラシ体とされている。このブラシ体はポリプロピレン等の合成樹脂から成る多数本の細い繊維を束ねることにより１束の棒状体とし、これらの棒状体の多数を取付部３２ａの下面の穴部内に植立している。
【００２３】
ヘッド３２は縦広であるので、狭い個所でも入り込んで清掃することができ、汚れ等が付着した床面等をブラシ状の清掃部３２ｂで擦り付けながら掃除を行う。更にヘッド３２は単体で掃除を行うことも可能であり、ヘッド把持部３２ｅを掴んだ状態で掃除を行う。また、縦方向に長い清掃部３２ｂとしては、ブラシ状体以外にも床拭き等に使用する縦広平面状のモップ体等を用いてもよい。
【００２４】
図５は先端部２３から取り外した状態のノズル部２４を示し、（ａ）は正面図、（ｂ）は側面図、（ｃ）は断面図である。ノズル部２４は円板状の噴射部２４ａの後部に円筒状の係合部２４ｂが設けられており、ノズル部２４は先端部２３に対し９０度の範囲内で回動可能に先端部２３に取り付けられている。
【００２５】
正面図（ａ）の中心の主噴射孔２４ｃは、噴射部２４ａの表面から垂直に穿設されており、この主噴射孔２４ｃを挟むように２つの副噴射孔２４ｄが１列となって配置されている。主噴射孔２４ｃは正面に対して垂直方向に穿設され、この主噴射孔２４ｃの穿設方向に対して、２つの副噴射孔２４ｄは断面図（ｃ）に示すように外側を向くように斜めに拡げられた状態で穿設されている。なお、これらの主噴射孔２４ｃ、副噴射孔２４ｄの数は実施例に限定されるものではない。
【００２６】
また、噴射部２４ａの周囲にはノズル部２４を回動させるための複数個の突起２４ｅが設けられ、係合部２４ｂの周囲にはフランジ部２４ｆが設けられている。ノズル部２４は先端部２３に取り付けた状態で、突起２４ｅを指で引っ掛けて回動させることで、主噴射孔２４ｃ、副噴射孔２４ｄの配列方向を９０度変更可能とされている。また、係合部２４ｂにはフランジ部２４ｆに設けられているため、係合部２４ｂが先端部２３から抜け出すことはない。
【００２７】
図６は、図１のヘッド３１を取り付けた状態の本体部２０の内部構成図である。このように、横幅方向に広いヘッド３１を先端部２３に取り付けた場合には、図２に示すように主噴射孔２４ｃと２つの副噴射孔２４ｄが水平線状になるように、ノズル部２４を先端部２３に対して回動させる。
【００２８】
容器取付部２３ａ内には、容器Ｂの口部Ｂ１の先端を密封するための合成ゴム等から成るリング状のシール部２３ｅが配置され、更に容器取付部２３ａには液を先端部２３内に流入させる流入口２３ｆ、空気を容器Ｂ内に注入する空気注入口２３ｇが設けられ、流入口２３ｆには流入管２３ｈの一端が接続されている。
【００２９】
ノズル部２４の係合部２４ｂの孔部には、可撓性を有する流出管２３ｉの一端が固定されており、流入管２３ｈの他端と流出管２３ｉの他端は液充填部２３ｊにそれぞれ接続されている。
【００３０】
なお、ノズル部２４の回動により流出管２３ｉは捩られるため、流出管２３ｉは可撓管とされ、ノズル部２４は所定の角度範囲内、つまり正面図（ａ）の状態から左右に９０゜の範囲内において回動可能とされている。この場合に、係合部２４ｂに凸片等を設け、先端部２３のノズル部受孔にこの凸片を規制する規制部を設けて、９０゜以上の回動が生じないようにしてもよい。
【００３１】
流入管２３ｈと液充填部２３ｊの間には逆止弁２３ｋ、流出管２３ｉと液充填部２３ｊの間には逆止弁２３ｌが設けられ、逆止弁２３ｋは液体が流入管２３ｈから液充填部２３ｊへの方向のみに流れ、逆止弁２３ｌは液体が液充填部２３ｊから流出管２３ｉへの方向のみに流れるように作用する。
【００３２】
液充填部２３ｊは円筒状のピストンシリンダとされ、その片側には内部に出入自在に摺動するピストン部２３ｍが配置され、このピストン部２３ｍの軸部２３ｎの一端には操作部２２の指掛部２２ａの押圧部２２ｂが当接されている。指掛部２２ａは軸２２ｃを中心に回動するようにされている。軸部２３ｎとその周囲の壁部間には、ピストン部２３ｍを常に指掛部２２ａの側に付勢するコイルばね２３ｏが配置されている。
【００３３】
洗浄液Ｗや水を充填した容器Ｂの口部Ｂ１のねじ山部を、締付部２３ｃのねじ溝部に螺合するように、締付部２３ｃを回転させて容器Ｂを容器取付部２３ａに引き寄せて固定する。このとき、容器Ｂは口部Ｂ１が下方に向けた逆さまの斜め方向の状態で固定される。締付部２３ｃの回動により、容器Ｂの口部Ｂ１はシール部２３ｅに当接し液体の漏洩は防止される。そして、口部Ｂ１間に流入口２３ｆ、空気注入口２３ｇが位置する。なお、洗浄液Ｗ入りの容器Ｂを締付部２３ｃのみに支持するには強度的に不安がある場合には、容器Ｂを先端部２３の外壁に当接させて保持するようにしてもよい。
【００３４】
この状態で、片手で把持部２１を把持し、人差指を指掛部２２ａに掛けて引くと、図７に示すように軸２２ｃを中心に指掛部２２ａが回動する。この回転により指掛部２２ａの押圧部２２ｂがピストン部２３ｍの軸部２３ｎの後端に押し込む。そして、液充填部２３ｊの内圧コイルばね２３ｏの付勢力に抗して、軸部２３ｎを前方に動かし、ピストン部２３ｍを液充填部２３ｊ内に押し込む。これにより、液充填部２３ｊの内圧が高まり、液充填部２３ｊ内から逆止弁２３ｌを介して洗浄液Ｗは流出管２３ｉに流出し、洗浄液Ｗはこの流出管２３ｉに接続したノズル部２４から前方に噴射される。
【００３５】
洗浄液Ｗをノズル部２４から噴射する際には、主噴射孔２４ｃを通過する洗浄液Ｗは正面方向に噴出し、両側の副噴射孔２４ｄを通過する洗浄液Ｗは側方方向に広がるように噴出することになり、噴射された洗浄液Ｗは被清掃面に略一直線状に付着することになる。噴射された洗浄液Ｗは水平方向に広がって噴射され、被清掃面において付着した洗浄液Ｗは、横幅方向に長い清掃部３１ｂの清掃面全体にゆき渡ることによって、容易に被清掃面を掃除することができる。
【００３６】
なお、洗浄液Ｗの噴射は指掛部２２ａに対する指加減により、早く動かせば洗浄液Ｗは広くかつ遠くまで噴射され、緩く動かせば洗浄液Ｗは狭くかつ遠くまで達することはない。
【００３７】
洗浄液Ｗの噴射後に指掛部２２ａから指を離すと、コイルばね２３ｏの復元力により、ピストン部２３ｍ及び軸部２３ｎが図６の状態に後退する。これにより、液充填部２３ｊ内が負圧になるので、逆止弁２３ｋを介して流入管２３ｈから容器Ｂ内の洗浄液Ｗが液充填部２３ｊ内に引き込まれ、液充填部２３ｊ内に洗浄液Ｗが再び充填される。洗浄液Ｗを排出した容器Ｂ内はその分だけ負圧になり、先端部２３内の外気が空気注入口２３ｇから容器Ｂに入り込み容器Ｂ内の内圧は外気と平衡する。
【００３８】
図８は清掃用ヘッド部３０を図１のヘッド３１から図３のヘッド３２に交換し、洗浄液Ｗを噴射している状態の断面図を示し、図４に示すように主噴射孔２４ｃと２つの副噴射孔２４ｄの配列が上下方向を向くように、ノズル部２４を９０゜回動させる。噴射された洗浄液Ｗは上下方向に広がって噴射され、目的の被清掃面に付着した洗浄液Ｗは、縦方向に長い清掃部３２ｂの清掃面全体にゆき渡る。例えば、窓のサッシに噴射した場合は、サッシのみに洗浄液Ｗが付着し、他の場所に洗浄液Ｗがかかることなく、容易にサッシを掃除することが可能となる。
【００３９】
また、ヘッド３１を使用する場合には、ガラス表面の汚れ落し用の洗浄液Ｗが入った容器Ｂを使用し、ヘッド３２を使用する場合は、カビ、汚れ等を除去する洗浄液Ｗが入った容器Ｂを使用する等、掃除する場所に応じて使い分けることが好ましい。また、洗浄液Ｗの代りに水道水を用いてもよいことは勿論である。
【００４０】
なお、上述の図示の実施例においては、ノズル部２４を下方に向けて洗浄液Ｗを噴射させたが、部屋の天井などを被清掃面とする場合には、容器Ｂの口部Ｂ１が上を向くため、洗浄液Ｗは容器Ｂの底部に溜って流出ができなくなる。この場合には、容器取付部２３ａの流入口２３ｆに可撓性のチューブを接続して、このチューブを容器Ｂ内に垂らして、容器Ｂの底部から洗浄液Ｗを吸出するようにすればよい。
【００４１】
また、洗浄液Ｗは必ずしも容器Ｂを使用することはなく、容器取付部２３ａのアタッチメントを変更し、水道ホース等を接続し水道水をそのまま用いることができる。
【００４２】
また、噴射された洗浄液Ｗを目視で確認することができるので、被清掃面への洗浄液Ｗの供給量を調整しながら掃除することが可能である。
【符号の説明】
【００４３】
１０  噴射式清掃具
２０  本体部
２１  把持部
２２  操作部
２３  先端部
２４  ノズル部
２４ａ  噴射孔
２４ｃ  主噴射孔
２４ｄ  副噴射孔
３０  清掃用ヘッド部
３１、３２  ヘッド
Ｂ  容器
Ｗ  洗浄液
【図１】
0006445791.tif 000002
【図２】
0006445791.tif 000003
【図３】
0006445791.tif 000004
【図４】
0006445791.tif 000005
【図５】
0006445791.tif 000006
【図６】
0006445791.tif 000007
【図７】
0006445791.tif 000008
【図８】
0006445791.tif 000009